(57)【要約】【課題】送風機能が低下することなく、空気の浄化機能を発揮することのできる扇風機を提供することを目的とする。【解決手段】軸流ファン１を囲む前ガード３ａと後ガード３ｂよりなるガード３とを有した扇風機主体４を支持する支柱５を設けた基台６により形成される扇風機７と、空気を浄化するフィルター９とを備え、フィルター９を前ガード３ａに設けられるガードマーク８の内側に設け、軸流ファン１の風下側の略中央部分にフィルター９を配設させることにより、送風機能を低下することなく、空気の浄化機能を発揮することができるという扇風機が得られる。【選択図】図１
2005201192.tif 000002
【特許請求の範囲】
【請求項１】
軸流ファンと、この軸流ファンを囲むガードとを有した扇風機主体と、空気を浄化するフィルターとを備え、前記フィルターを前記軸流ファンの風下側の略中央部分に設けた扇風機。
【請求項２】
フィルターをガードの内側に設けた請求項１記載の扇風機。
【請求項３】
フィルターをガードに設けられるガードマークの裏面に設けた請求項１または２記載の扇風機。
【請求項４】
フィルターの設けられるガードマークに通風用の開口部を設けた請求項３記載の扇風機。
【請求項５】
フィルターの外径をガードマークより大径に形成し、ガードの正面側よりフィルターの存在が視認できる構成とした請求項３記載の扇風機。
【請求項６】
フィルターに有害物質を不活化することのできる有効成分を添着した請求項１記載の扇風機。
【請求項７】
フィルターに添着される有効成分を抗菌、抗ウィルス、抗アレルゲンの少なくとも一つの作用を行うことのできる成分とした請求項６記載の扇風機。
【請求項８】
ガードに設けられたガードマーク取付部と、このガードマーク取付部に取り付けられるガードマークおよび、フィルターを収納するフィルター受とを備え、前記ガードマーク取付部を挾時するように前記ガードマークとフィルター受を係合して取り付ける構成とした請求項３記載の扇風機。
【請求項９】
フィルター受にフィルターを着脱自在に保持するフィルター押え枠を開閉可能に設けた請求項８記載の扇風機。
【発明の詳細な説明】
【技術分野】
【０００１】
本発明は、軸流ファンの風下側の中央部分で空気浄化を行うフィルターを設けた扇風機に関する。
【背景技術】
【０００２】
従来、この種の扇風機の一例として扇風機のガードにフィルターを設けた空気清浄機が知られている（例えば、特許文献１参照）。
【０００３】
以下、その空気清浄機について図６〜図７を参照しながら説明する。
【０００４】
図に示すように、扇風機１０１のファン１０２を囲む金網状に形成されたファンガード１０３の前面を覆うように半球状をなすガス状化学物質除去フィルター１０４を取り付け、ガス状化学物質除去フィルター１０４は両側のネット１０５、１０５の間にペレット状の活性炭１０６を挟み込んだフィルターシート１０７をキャップ状に形成している。
【特許文献１】特開２００３−２６９７５７号公報（［００１０］、図１〜図３）
【発明の開示】
【発明が解決しようとする課題】
【０００５】
このような従来の空気清浄機では、半球状のガス状化学物質除去フィルター１０４でファンガード１０３の前面を覆っているため、扇風機１０１のファン１０２により送られる空気が全部ガス状化学物質除去フィルター１０４を通過することとなり、ガス状化学物質除去フィルター１０４が空気抵抗となり、ガス状化学物質除去フィルター１０４を通過して送風される風速風量が減少して扇風機としての機能が低下しないようにすることが要求されている。
【０００６】
また、扇風機を使っていると半球状のガス状化学物質除去フィルター１０４にゴミが付着した状態となり、扇風機の外観からは涼感を得ることができないという課題があり、フィルターを目ざわりないように設けて涼感が低下しないようにすることが要求されている。
【０００７】
本発明は、上記課題を解決するもので、扇風機としての送風機能が低下することなく、空気の浄化機能を発揮することができるとともに、涼感を損なうことのない扇風機を提供することを目的としている。
【課題を解決するための手段】
【０００８】
本発明の扇風機は上記目的を達成するために、軸流ファンと、この軸流ファンを囲むガードとを有した扇風機主体と、空気を浄化するフィルターとを備え、前記フィルターを前記軸流ファンの風下側の略中央部分に設けたものである。
【０００９】
この手段により、送風機能が低下することなく、空気の浄化機能を発揮することができるとともに、涼感を損なうことのない扇風機が得られる。
【００１０】
また、他の手段は、フィルターをガードの内側に設けたものである。
【００１１】
この手段により、フィルターに付着した汚れが人体に触れないので衛生的となる。
【００１２】
また、他の手段は、フィルターをガードに設けられるガードマークの裏面に設けたものである。
【００１３】
この手段により、フィルターの汚れが目立たなくなる扇風機が得られる。
【００１４】
また、他の手段は、フィルターに設けられるガードマークに通風用の開口部を設けたものである。
【００１５】
この手段により、フィルターへの通気性が良くなり、浄化能力が向上する扇風機が得られる。
【００１６】
また、他の手段は、フィルターの外径をガードマークより大径に形成し、ガードの正面側よりフィルターの存在が視認できる構成としたものである。
【００１７】
この手段により、フィルターの付け忘れを防止することができる扇風機が得られる。
【００１８】
また、他の手段は、フィルターに有害物質を不活化することのできる有効成分を添着したものである。
【００１９】
この手段により、フィルターで捕集した埃の中の有害物質を不活化・死滅させることができる扇風機が得られる。
【００２０】
また、他の手段は、フィルターに添着される成分を、抗菌、抗ウィルス、抗アレルゲンの少なくとも一つの作用を行うことのできる成分としたものである。
【００２１】
この手段により、フィルターで捕集した埃に含まれる有害物質を不活化して再飛散しても無害とすることができる扇風機が得られる。
【００２２】
また、他の手段は、ガードに設けられたガードマーク取付部と、このガードマーク取付部に取り付けられるガードマークおよびフィルターを収納するフィルター受とを備え、前記ガードマーク取付部を挟持するように、前記ガードマークとフィルター受を係合して取り付ける構成としたものである。
【００２３】
この手段により、運転中はフィルターが外れにくく、ガードとの共振音が発生せず、ガードを外してフィルターを掃除機で容易に清掃できる扇風機が得られる。
【００２４】
また、他の手段は、フィルター受にフィルターを着脱自在に保持するフィルター押え枠を開閉可能に設けたものである。
【００２５】
この手段により、フィルターを取り外して簡単に掃除をすることができる扇風機が得られる。
【発明の効果】
【００２６】
本発明によれば、送風機能が低下することなく、空気の浄化機能を発揮することが出来るとともに、涼感を損なうことのない扇風機を提供できる。
【００２７】
また、フィルターに付着した汚れが人体に触れないので衛生的で、汚れが目立たない扇風機を提供できる。
【００２８】
また、フィルターの付け忘れを防止できる扇風機を提供できる。
【００２９】
また、埃に含まれる有害物質を不活化または死滅させることができる扇風機を提供できる。
【００３０】
また、運転中はフィルターが外れにくく、共振音の発生もなく、また、容易に掃除できる扇風機を提供できる。
【発明を実施するための最良の形態】
【００３１】
本発明の請求項１記載の発明は、軸流ファンと、この軸流ファンを囲むガードとを有した扇風機主体と、空気を浄化するフィルターとを備え、前記フィルターを前記軸流ファンの風下側の略中央部分に設けたことにより、扇風機主体に設けた軸流ファンの風下側に送風される空気中の中央部分に設けられるフィルターによる空気抵抗は小さく送風機能が低下することがなく、フィルターによる空気の浄化機能を発揮することができるとともに、ガードを覆うようなフィルターを設けていないので、涼感を損なうことがないという作用を有する。
【００３２】
また、請求項２記載の発明は、フィルターをガードの内側に設けることにより、フィルターに捕集された汚れに人体が直接接触することがなくなり、衛生的に扇風機を使用できるという作用を有する。
【００３３】
また、請求項３記載の発明は、フィルターをガードに設けられるガードマークの裏面に設けたことにより、フィルターに捕集された汚れがガードマークにより、前面が覆われているのでフィルターの汚れが目立たなくなるという作用を有する。
【００３４】
また、請求項４記載の発明は、フィルターの設けられるガードマークに通風用の開口部を設けたことにより、通気性が良くなり、浄化能力が向上するという作用を有する。
【００３５】
また、請求項５記載の発明は、フィルターの外径をガードマークより大径に形成し、ガードの正面側よりフィルターの存在が目視確認できることにより、フィルターを付け忘れたときには、ガードの正面側より見てガードマークの周囲にフィルターの外周部分がはみ出さないので一見してフィルターの付け忘れを知ることができ、フィルターの付け忘れを防止できるという作用を有する。
【００３６】
また、請求項６記載の発明は、フィルターに有害物質を不活化することのできる有効成分を添着したことにより、フィルターで捕集した埃の中の有害物質を不活化または死滅させることができるという作用を有する。
【００３７】
また、請求項７記載の発明は、フィルターに添着される有効成分を抗菌、抗ウィルス、抗アレルゲンの少なくとも一つの作用を行うことのできる成分としたことにより、家庭内の有害物質を不活化して再飛散しても無害化することができるという作用を有する。
【００３８】
また、請求項８記載の発明は、ガードに設けられたガードマーク取付部と、このガードマーク取付部に取り付けられるガードマークおよび、フィルターを収納するフィルター受とを備え、前記ガードマーク取付部を挟持するように前記ガードマークとフィルター受を係合して取り付ける構成としたことにより、扇風機の運転中は振動などによってフィルターが外れることがなく、ガードとの共振により共振音が発生することがなく、ガードを外してフィルターを容易に掃除ができるという作用を有する。
【００３９】
また、請求項９記載の発明は、フィルター受にフィルターを着脱自在に保持するフィルター押え枠を開閉可能に設けたことにより、汚れたフィルターを取り外して簡単に交換することができるという作用を有する。
【００４０】
以下、本発明の実施の形態について図面を参照しながら説明する。
【００４１】
（実施の形態１）
図１〜図５に示すように、軸流ファン１と、軸流ファン１を駆動するモーター２と、軸流ファン１を囲む前ガード３ａと後ガード３ｂにより形成されるガード３とを有した扇風機主体４を支持する支柱５を設けた基台６により扇風機７を形成し、汚染された空気を浄化するためにガード３の内側となる前ガード３ａの中央部に設けられるガードマーク８の裏面側にフィルター９を設ける。
【００４２】
また、捕集した埃に含まれる有害物質を不活化・死滅させる有効成分のうち抗菌性の作用を有する素材として、銀・銅・亜鉛などの金属イオンを溶出する無機化合物、銀・銅・亜鉛の金属微粒子、ヨウ素化合物類、フェノール類、第４アンモニウム塩類、イミダソール化合物類、安息香酸類、過酸化水素、クレゾール、クロルヘキシジン、イルガサン、アルデヒド類、ソルビン酸等の薬剤やリゾチーム・セルラーゼ・プロテアーゼなどの酵素製剤、カテキン類、竹抽出物、ヒノキ抽出物、わさび抽出物、からし抽出物などの天然成分抽出物などがあり、これらの素材から選択したものを不織布などのフィルター基材に添着することにより、抗菌性の作用を有するフィルター９が得られるが、以下に示す抗ウィルス性、抗アレルゲン性を有する素材を選択して、フィルター基材に合わせて添着することにより、複数の有害物質を不活化または死滅させるフィルター９を得ることができる。
【００４３】
なお、抗ウィルス性を有する素材として、銀、銅、亜鉛などの金属イオンを溶出する無機化合物、銀・銅・亜鉛の金属微粒子、低級アルコール類、カテキン類、ヒノキチオールなどがある。
【００４４】
さらに、抗アレルゲン性を有する素材として、タンニン酸、ヒドロキシ安息香酸系化合物、芳香族ヒドロキシス化合物、または、その塩、または、重合体、アルカリ金属の炭酸塩、明ばん、ラウリルベンゼンスルホン酸塩、ラウリル硫酸塩、ポリオキシエチレンラウリルエテール硫酸塩、カテキン類などの高分子フェノール性水酸基を有する素材がある。
【００４５】
また、フィルター９をガード３に取り付けるために、ガード３の前ガード３ａの中央部にリング状でガードマーク８に設けた係合爪１４を有する取付脚１５が挿入される挿入孔１６を有したガードマーク取付部１７を設け、ガードマーク８にはガードマーク取付部１７の中央部分の開口１８に連通する通風用の開口部１９を設けるとともに、中央部に取付ねじ２０の螺合するねじ孔２１を設ける。
【００４６】
そして、フィルター９を収納する形状で複数の放射状の脚２２ａにより形成されるフィルター受２２を設けてフィルター収納部２３を形成し、フィルター収納部２３にはガードマーク８に設けた取付脚１５の係合爪１４が係合される係合部２４と、中央部には取付ねじ２０の嵌入孔２５を設ける。フィルター収納部２３には収納したフィルター９が落下しないように着脱自在に保持する複数の放射状の脚２６ａにより形成されたフィルター押え枠２６をヒンジ部２７を介して開閉自在に結合するように設ける。フィルター９の大きさはガードマーク８の前方から見てガードマーク８の外方に露出した状態が視認できる大きさに形成している。
【００４７】
上記構成において、フィルター９を取り付けるときには、図２に示すようにガード３の前ガード３ａにガードマーク８およびフィルター受２２を取り付けるために、まず、ガードマーク取付部１７をフィルター受２２とガードマーク８で挟持する状態で、ガードマーク８の取付脚１５をガードマーク取付部１７の挿入孔１６に挿入し、係合爪１４をフィルター受２２に設けた係合部２４に係合する。次に取付ねじ２０をフィルター受２２の嵌入孔２５に嵌入し、ガードマーク８に設けたねじ孔２１に取付ねじ２０を螺合してガードマーク８とフィルター受２２を結合する。図５に示すようにフィルター９をフィルター収納部２３に収納したのち、ヒンジ部２７を介してフィルター押え枠２６を可動し、フィルター押え枠２６をフィルター受２２に結合してフィルター受２２にフィルター９を保持し、前ガード３ａにフィルター９を取り付ける。
【００４８】
フィルター９には有害物質を不活化または死滅させる有効成分のうち、抗菌、抗ウィルス、抗アレルゲンの少なくとも一つの作用を行う成分を添着しており、本実施の形態では上記全ての成分に加えて、防カビ剤を添着している。
【００４９】
そして、扇風機７を運転すると、扇風機主体４に設けられた軸流ファン１が駆動し、扇風機主体４の後方から吸い込んだ空気が前方に流れ送風される。このとき、ガード３の前ガード３ａの内側に設けたフィルター９に接触するとともに、一部はフィルター９を通過してガードマーク８に設けた開口部１９を通り、捕集された埃はフィルター９に添着された有害物質を不活化または死滅させる有効成分により、抗菌、抗ウィルス、抗アレルゲンの作用が行われることとなる。
【００５０】
また、フィルター９が汚染されて清掃をするときには、前ガード３ａを取り外し、フィルター受２２に開閉自在に設けられているフィルター押え枠２６を開放し、フィルター受２２のフィルター収納部２３に収納されているフィルター９を取り出し洗浄等により清掃したのち、フィルター受２２のフィルター収納部２３に収納し、フィルター押え枠２６で押さえてフィルター９を前ガード３ａに取り付け、前ガード３ａを後ガード３ｂに取り付け完成する。
【００５１】
また、フィルター９を前ガード３ａに取り付けた状態で清掃するときには、後ガード３ｂより取り外した前ガード３ａに取り付いた状態のフィルター９の汚れを掃除機により吸引して取り除くことができる。
【００５２】
このように、本発明の扇風機では、フィルター９を軸流ファン１の風下側の中央部分に設けていることにより、空気抵抗は小さくなり送風機能が低下することがなくなる。
【００５３】
また、フィルター９は前ガード３ａの内側にフィルター受２２を設け、フィルター収納部２３に収納していることにより、フィルター９に捕集された汚れが人体に直接触れることがなくなるとともに、フィルター９の汚れが目立ちにくくなる。
【００５４】
また、ガードマーク８に通風用の開口部１９が設けられていることにより、通気性がよくなり、浄化能力が向上されることとなる。
【００５５】
また、フィルター９の外径をガードマーク８より大きく形成していることによりフィルター９はガードマーク８の外方に露出する状態となり、フィルター９の存在が一見してわかることとなり、フィルター９の付け忘れを知ることができる。
【００５６】
また、フィルター９に有害物質を不活化または死滅することができる有効成分を添着していることにより、空気中に浮遊する有害物質を不活化または死滅させ再飛散しても無害とすることができる。
【００５７】
また、ガードマーク取付部１７を挟持するようにガードマーク８とフィルター受２２を係合して取り付けるとともに、取付ねじ２０で結合することにより、扇風機７の運転中は振動などによってフィルター９が外れることがなく、ガード３との共振による騒音の発生することがなくなる。
【００５８】
また、フィルター受２２にフィルター９を着脱するフィルター押え枠２６を開閉可能に設けていることにより、フィルター９の着脱および清掃が容易となる。
【００５９】
また、フィルター９を前ガード３ａに取り付けた状態で清掃するときには、後ガード３ｂより取り外した前ガード３ａに取り付いた状態のフィルター９の汚れを掃除機により吸引して取り除くこともできる。
【産業上の利用可能性】
【００６０】
空気中に浮遊する有害物質を不活化または死滅できるフィルターを空気抵抗が少ない状態に空気中に配設できる送風機能を設けることのできる空調機器等にも適用できる。
【図面の簡単な説明】
【００６１】
【図１】本発明の実施の形態１の扇風機の側面図
【図２】同扇風機のガードマークとフィルター受の分解断面図
【図３】同扇風機のガードマークとフィルター受の係合状態を示す断面図
【図４】同扇風機のガードマークの通風用開口部を示す断面図
【図５】同扇風機のフィルターとフィルター受の関係を示す斜視図
【図６】従来の扇風機の側面図
【図７】同扇風機のフィルターシートの斜視図
【符号の説明】
【００６２】
１      軸流ファン
３      ガード
４      扇風機主体
８      ガードマーク
９      フィルター
１７    ガードマーク取付部
１９    開口部
２２    フィルター受
２６    フィルター押え枠
【図１】
2005201192.tif 000003
【図２】
2005201192.tif 000004
【図３】
2005201192.tif 000005
【図４】
2005201192.tif 000006
【図５】
2005201192.tif 000007
【図６】
2005201192.tif 000008
【図７】
2005201192.tif 000009